(57)【要約】【課題】  平面上にとまっている蚊、蝿を捕殺することが可能な蚊、蝿取りラケットの構造を提供する。【解決手段】  ラケット体２０と、電極網層３０を含む。ラケット体２０は前段に框体部２１を形成し、框体部２１の後端には握り部２２を連設している。電極網層３０は、ラケット体２０の框体部２１の中に配置され、電撃で電極網層３０の中の蚊、蝿を捕殺する。握り部２２と框体部２１の間は湾曲に一側に向かって一本の連接アーム２２１を連伸して、ラケット体２０の框体部２１を一つの平面上に平貼りした時に、握り部２２と平面間は一つの間隔を形成し、使用者の手を伸入可能とする。これにより使用者が握り部２２を握り持って、ラケット体２０の框体部２１を平面に平貼りさせ、平面上に止まっている蚊、蝿を捕殺することが可能となる。【選択図】    図１
0003115790.tif 000002
【実用新案登録請求の範囲】
【請求項１】
ラケット体と、電極網層とを備える蚊、蝿取りラケットの構造であって、
ラケット体は、前段に一つの框体部を形成し、框体部の後端に一つの握り部を連接し、
電極網層は、ラケット体の框体部の中に配置され、電気で電極網層の中の蚊、蝿を電撃し、
握り部と框体部との間は、一本の連接アームが連伸され、ラケット体の框体部が一つの平面上に平貼りされた時、握り部と平面との間に一つの間隔を形成し、使用者の手が伸入可能であることを特徴とする蚊、蝿取りラケットの構造。
【請求項２】
前記連接アームは湾曲状に成形されていることを特徴とする請求項１記載の蚊、蝿取りラケットの構造。
【請求項３】
前記框体部と握り部の連接はネジで締め止めることにより連接していることを特徴とする請求項２記載の蚊、蝿取りラケットの構造。
【考案の詳細な説明】
【技術分野】
【０００１】
本考案は、蚊、蝿取りラケットの構造に関し、特にラケット体前段の框体部が一つの平面に平貼りした時に、框体部の後端に連接した握り部と平面間に、間隔が形成され使用者が手を伸入して握り部を握り持つことが可能なものに関する。
【背景技術】
【０００２】
現在の蚊、蝿取り電気蚊取りラケットに応用されているのは、ラケット体を含み、ラケットの前端は框体部を含み、高圧電撃の網層を配置している。ラケット体の框体部の後端には、水平に握り部を連接している。使用者が蚊、蝿を捕殺する時は、手で握り部を握り持つことが可能で、これで框体部に配置した高圧電撃網層で蚊、蝿を捕殺することが可能である。
【考案の開示】
【考案が解決しようとする課題】
【０００３】
図３は、上述の周知の蚊、蝿取りラケットを示す。ラケット体４０の前段の框体部４１と後段の握り部４２は、この両者の中性面は、同一中性平面４ａ上にあるので、使用者が握り部４２を握り持つと、手指４３は握り部４２の外囲いを囲い抱く。平面４ｂ上に止まっている蚊、蝿４４を捕殺する時は、使用者の手指４３の阻碍によって、ラケット体４０の前段の框体部４１は完全に蚊、蝿がとまっている平面（４ｂ、例えば壁面）に平貼りすることができず、第３図に示した状態になる。即ち、ラケット体４０は、框体部４１の前端縁４１１が平面４ｂ上に跨ることにより、ラケット体４０全体と平面４ｂが一つの角度Ａの傾斜状態になって、框体部４１と平面４ｂの間にすき間を形成する。これによって、捕殺する蚊、蝿は、常に框体部４１と平面４ｂの間のすき間から快速に逃げることが可能となる。この欠点は習知の蚊、蝿取りラケットが平面にとまっている蚊、蝿を捕殺する時に常に失敗する原因となる。
【０００４】
したがって本考案の目的は、平面上にとまっている蚊、蝿を捕殺することが可能な蚊、蝿取りラケットの構造を提供することにある。
【課題を解決するための手段】
【０００５】
上述の目的を達成するために本考案の請求項に記載の蚊、蝿取りラケットの構造は、ラケット体と、電極網層を含む。ラケット体は前段に框体部を形成し、框体部の後端には握り部を連設している。電極網層は、ラケット体の框体部の中に配置され、電撃で電極網層の中の蚊、蝿を捕殺する。握り部と框体部の間は湾曲に一側に向かって一本の連接アームを連伸して、ラケット体の框体部を一つの平面上に平貼りした時に、握り部と平面間は一つの間隔を形成し、使用者の手を伸入可能とする。これにより使用者が握り部を握り持って、ラケット体の框体部を平面に平貼りさせ、平面上に止まっている蚊、蝿を捕殺することが可能となる。
【考案を実施するための最良の形態】
【０００６】
以下、本考案の実施例を図面に基づいて説明する。
図１、図２に示すように、本考案の実施例による蚊、蝿取りラケットの構造は下記のものを含む。ラケット体２０は、ラケット体２０の前段に框体部２１を形成し、框体部２１の後端に握り部２２を連接している。電極網層３０はラケット体２０の框体部２１の中に配置され、電撃で電極網層の中の蚊、蝿を捕殺する。その特徴は、握り部２２と框体部２１の間は、湾曲に一側に向かって一本の連接アーム２２１を連伸して、框体部２１上に連接する。ラケット体２０の框体部２１が平面Ｐ（例えば壁）に平貼りした時は、握り部２２と平面Ｐの間は、間隔Ｄがあって、使用者の手指Ｆが伸入して握り持ちが可能となっている。この時、ラケット体２０の框体部２１は平面Ｐに平貼りして、平面Ｐ上に止まっている蚊、蝿を補足することが可能である。
【０００７】
本実施例による蚊、蝿を取るラケットの構造は、ラケット２０は下記のものを含む。框体部２１、框体部２１はその中央が中空部２１０になっていて、電撃網層３０を中空部２１０の中に嵌接する。及び、握り部２２、握り部２２は中空置き穴２２２を含んでいて、電撃網層３０を制御、タッチする電気回路及び必要の電子部品を中空置き穴２２２の中に置く（例えば電池、電気回路板等）握り部２２と框体部２１の間は，湾曲で一側に向かって一本の連接アーム２２１を連伸する。框体部２１と握り部２２の連接は、ネジの締め止め連接、高接波連接或いは、その他の方式で連接することが可能である。本考案はこの連接方法に対して自限しない。
【０００８】
本実施例の蚊、蝿取りラケットの構造のラケット体２０は、框体部２１と握り部２２、多数の分離した部品が相対で組立てされる。或いは、修飾して一体成形も可能である。本考案はこれに対して自限しない。
【０００９】
本実施例による主な構造の特徴は、ラケット体２０の框体部２１と握り部２２は、違った平面上にあり、図２に示すように、ラケット体２０の框体部２１の底部が一つの平面Ｐに平貼りした時は、握り部２２と平面Ｐの間は、間隔Ｄが形成される。この間隔Ｄは、十分に使用者が握り部２２を握り持つ時の手指Ｆをその間に伸入させることが可能である。蚊、蝿が例えば壁、たな等の平面の所に止まっている時では、使用者は蚊、蝿取りラケットの握り部２２を握った正常の使用状態で、電撃網層３０付きの框体部２１を、平行に壁、たな等の平面Ｐ上に貼り寄せることが可能である。框体部２１は、完全に平面Ｐ上に平貼りすることが可能なため、捕殺する蚊、蝿は、任意の逃げるすき間がない。本考案により平面、例えば壁、たな、たんす等の平面区域の蚊、蝿を捕殺する効果は、習知の電気蚊取りラケットよりも抜群の効果がある。
【００１０】
本考案の構想、形状を一部変更した後に生じた効果、作用が本明細書と図面を含む範囲である場合は、すべて本考案の範囲に属することは当然である。
【図面の簡単な説明】
【００１１】
【図１】本考案の実施例による蚊、蝿取りラケットの構造を示す立体図である。
【図２】本考案の実施例による蚊、蝿取りラケットの構造の使用状態を示す図である。
【図３】習知の蚊、蝿取りラケットの使用状態を示す図である。
【符号の説明】
【００１２】
４ａ  中央平面、４ｂ  平面、２０  ラケット体、２１  框体部、２２  握り部、３０  電極網層、４０  ラケット体、４１  框体部、４２  握り部、４３  手指、２１０  中空部、２１２  連接部、２２１  連接アーム、２２２  中空置き穴、４１１  前端縁、Ａ  角度、D  間隔、Ｆ  手指、Ｐ  平面
【図１】
0003115790.tif 000003
【図２】
0003115790.tif 000004
【図３】
0003115790.tif 000005